(57)【要約】【課題】現像剤であるトナーが感光体に現像される量を画像データに応じて逐次導出し、その導出結果と予め格納した相反則不軌や感光体バラツキの影響を含めた実際のトナー量とから、光ビームのパワーを画素毎に変調して、画像品質をより改善する。【解決手段】光走査を行う画像形成装置であって、ｍ回目の主走査における最終番目である第Ｎ番目の画像データを用いて補正係数を導出する導出手段と、ｍ回目の主走査における第Ｎ番目の次のｍ＋１回目の主走査における第１番目の主走査画像データを格納する格納手段と、導出手段により導出された補正係数を用いてｍ＋１回目以降の主走査露光の第１番目の光束の光量を調整する調整手段とを有する。なお、ｍは１以上の整数を表す。【選択図】図３
2007237400.tif 000002
【特許請求の範囲】
【請求項１】
複数の光束を射出する光源と、該光源から射出された各光束を偏光する回転多面鏡と、該偏光された各光束を主走査露光して静電潜像を形成する記録媒体と、該静電潜像が現像剤により現像されて画像が形成される画像形成装置であって、
ｍ回目の主走査における最終番目である第Ｎ番目の画像データを用いて補正係数を導出する導出手段と、
前記ｍ回目の主走査における第Ｎ番目の次のｍ＋１回目の主走査における第１番目の主走査画像データを格納する格納手段と、
該導出手段により導出された補正係数を用いてｍ＋１回目以降の主走査露光の第１番目の光束の光量を調整する第１の調整手段とを有することを特徴とする画像形成装置（ただし前記ｍは１以上の整数を表す）。
【請求項２】
Ｎ本の複数光束を射出する光源と、該光源から射出された各光束を偏光する回転多面鏡と、該偏光された各光束により主走査露光して静電潜像を形成する記録媒体と、該静電潜像が現像剤により現像されて画像が形成される画像形成装置であって、
該Ｎ本の複数光束による主走査露光に一対一に対応する画像データのうち、ｍ＋１回目の主走査における第１番目の主走査画像データと、ｍ回目の主走査における第Ｎ番目の画像データとを用いて導出した補正係数によってｍ＋１回目以降の主走査露光における第１番目の光束の光量とｍ回目以降の主走査露光における第Ｎ番目の光束の光量とを調整する第２の調整手段を有することを特徴とする画像形成装置（ただしｍは１以上の整数を表す）。
【請求項３】
前記調整手段による光量調整は、画像データの濃度レベルを変化することによって調整することを特徴とする請求項１または２に記載の画像形成装置。
【請求項４】
前記調整手段による光量調整は、光源の前記光量調整をレーザ制御信号によりパルス幅の変調によって調整することを特徴とする請求項１または２に記載の画像形成装置。
【請求項５】
前記調整手段による光量調整は、前記光量調整をレーザ制御信号のバイアス制御によって調整することを特徴とする請求項１または２に記載の画像形成装置。
【請求項６】
少なくともＮ本の複数光束を射出する光源と、該光源から射出された光束を偏光する回転多面鏡と、該偏光された光束により主走査露光することで静電潜像を形成する記録媒体と、該静電潜像が現像剤により現像されて画像が形成される画像形成装置を用いて、
該Ｎ本の複数光束による主走査露光に一対一に対応する画像データのうち、ｍ＋１回目の主走査における第１番目の主走査画像データと、ｍ回目の主走査における第Ｎ番目の画像データとを用いて導出した補正係数によって、ｍ＋１回目以降の主走査露光における第１番目の光束の光量とｍ回目以降の主走査露光における第Ｎ番目の光束の光量を調整する光量調整工程を有することを特徴とする相反則不軌を低減させた画像形成方法（ただし前記ｍは１以上の整数を表す）。
【請求項７】
前記光量調整工程は、前記画像データの濃度レベルを変化することによって調整するか、光源の前記光量調整をレーザ制御信号によりパルス幅の変調によって調整するか、または、レーザ制御信号のバイアス制御によって調整することを特徴とする請求項６に記載の相反則不軌を低減させた画像形成方法。
【発明の詳細な説明】
【技術分野】
【０００１】
本発明は、回転多面鏡により変調された複数光束による走査露光を行い、記録媒体に形成された静電潜像に現像材を現像して画像を形成する画像形成装置および相反則不軌を低減させた画像形成方法に関する。
【背景技術】
【０００２】
従来、電子写真方式による画像形成において、複数光源による同時主走査露光方式では、所謂「相反則不軌」による濃度バラツキ特性が生じ、画像品質が問題となっていた。露出量は露光時間と絞りの対数関係が理論値である相反則に従えば、得られる画像は良好な画像となる。しかし、前記した相反則不軌は、このような適正な露出からずれていく現象であり、一般に露光時間が極端に短いとき、あるいは露光時間が長いときなどに発生する現象である。
【０００３】
この現象が発生すると、照射光量とトナー量とが比例しなくなるといえる。たとえば副走査方向に隣接する２つのビームスポットが感光体表面に同時に形成された時の感光体表面電位と、その２つのビームスポットが感光体表面に時間差を持って形成されたときには、これらの表面電位が異なってしまう。したがって、このような感光体にできた潜像をトナーを用いて現像すると、上記した相反則不軌による濃度バラツキ特性を生じた画像が形成されることとなる。
【０００４】
図１に示すような複数光源で同時に感光体に走査露光する電子写真方式では、図２に示すように、隣り合うＬＤ０〜ＬＤ３の走査露光開始タイミングが同時であるのに対し、ｍ回目の走査のＬＤ３による走査露光開始タイミングからｍ＋１回目走査のＬＤ０の走査露光開始までの間隔は、Ｔ時間後と長くなっている。つまり、走査周期の異なる露光タイミングによるずれが発生し、この異なる露光タイミングによって、所謂相反則不軌による濃度ムラが生じて画像品質が問題になっていたことになる。
【０００５】
このような問題を解決する従来技術としては、特許文献１，２に開示された発明が公知である。たとえば、特許文献１には、複数光ビームによる走査露光方法において、感光面上で隣接する光ビームの１部分が重なるようにｍ本の光ビームを１列に配列し、光ビームの配列方向と交差する方向に走査する主走査および光ビームの配列方向に走査する副走査を行って２次元の走査露光を行うにあたり、前記ｍ本の光ビームの各々についての露光または非露光を表す画像データを用いて、Ｎを１以上の整数とし、Ｎ回目の主走査を行う光ビーム内の第ｍ本目の光ビームの露光とＮ＋１回目の主走査を行う光ビーム内の第１本目の光ビームの露光とが重なる場合には、前記第１本目の光ビームおよび前記第ｍ本目の光ビームの少なくとも一方の光ビームのパワーを変化させると共に、Ｎ回目の主走査を行う光ビーム内の第ｍ本目の光ビーム及びＮ＋１回目の主走査を行う光ビーム内の第１本目の光ビームの一方が露光でかつ他方が非露光となる場合には該露光に対応する光ビームのパワーを維持させることを特徴とする複数光ビームによる走査露光方法の発明が記載されている。
【０００６】
また、特許文献２には、１つのチップ上に複数の発光源の配列されたレーザダイオードアレイの各発光源から出射されたレーザビームを、回転多面鏡で周期的に変更させ、副走査方向に回転する感光体上に副走査方向に位置差を有して主走査方向に照射し、当該感光体面上に静電潜像を形成する電子写真装置において、前記発光源の数をｎ（ｎ≧２）、感光体上で隣り合う当該各発光源からのレーザビームの副走査方向の間隔をｄ、前記回転多面鏡による走査１回分の時間で感光体の進む量をＬとしたとき、Ｌ＝ｎｄ／ｋ（ｋは発光源の数ｎと互いに素である２以上の自然数）の関係にあることを特徴とする電子写真装置の発明が記載されている。
【特許文献１】特許第２６８５３４６号公報
【特許文献２】特開２００４−２０９１１号公報
【発明の開示】
【発明が解決しようとする課題】
【０００７】
しかし、近年の高密度・高画質化においては、単に画像データの有無を判定して光ビームのパワーを一律に変調するだけでは、濃度ムラの影響を無視できるほどの画像品質を得ることができない。
【０００８】
このような課題に鑑み、本発明は、ｍ回目の主走査におけるＮ番目の画像データから補正係数を導出する導出手段と、Ｎ番目の次のｍ＋１回目の主走査における１番目の画像データを格納する格納手段と、補正係数を用いてｍ＋１回目以降の主走査露光における光量を調整する画像形成装置および相反則不軌を低減させた画像形成方法を提供することを目的としている。
【課題を解決するための手段】
【０００９】
上記の課題を解決するために、請求項１に記載の発明は、複数の光束を射出する光源と、該光源から射出された各光束を偏光する回転多面鏡と、該偏光された各光束を主走査露光して静電潜像を形成する記録媒体と、該静電潜像が現像剤により現像されて画像が形成される画像形成装置であって、ｍ回目の主走査における最終番目である第Ｎ番目の画像データを用いて補正係数を導出する導出手段と、前記ｍ回目の主走査における第Ｎ番目の次のｍ＋１回目の主走査における第１番目の主走査画像データを格納する格納手段と、該導出手段により導出された補正係数を用いてｍ＋１回目以降の主走査露光の第１番目の光束の光量を調整する第１の調整手段とを有する画像形成装置（ただし前記ｍは１以上の整数を表す）であることを特徴とする。
【００１０】
請求項２に記載の発明は、Ｎ本の複数光束を射出する光源と、該光源から射出された各光束を偏光する回転多面鏡と、該偏光された各光束により主走査露光して静電潜像を形成する記録媒体と、該静電潜像が現像剤により現像されて画像が形成される画像形成装置であって、該Ｎ本の複数光束による主走査露光に一対一に対応する画像データのうち、ｍ＋１回目の主走査における第１番目の主走査画像データと、ｍ回目の主走査における第Ｎ番目の画像データとを用いて導出した補正係数によってｍ＋１回目以降の主走査露光における第１番目の光束の光量とｍ回目以降の主走査露光における第Ｎ番目の光束の光量とを調整する第２の調整手段を有する画像形成装置（ただしｍは１以上の整数を表す）であることを特徴とする。
【００１１】
請求項３に記載の発明は、請求項１または２に記載の画像形成装置において、前記調整手段による光量調整は、画像データの濃度レベルを変化することによって調整することを特徴とする。
【００１２】
請求項４に記載の発明は、請求項１または２に記載の画像形成装置において、前記調整手段による光量調整は、光源の前記光量調整をレーザ制御信号によりパルス幅の変調によって調整することを特徴とする。
【００１３】
請求項５に記載の発明は、請求項１または２に記載の画像形成装置において、前記調整手段による光量調整は、前記光量調整をレーザ制御信号のバイアス制御によって調整することを特徴とする。
【００１４】
請求項６に記載の発明は、少なくともＮ本の複数光束を射出する光源と、該光源から射出された光束を偏光する回転多面鏡と、該偏光された光束により主走査露光することで静電潜像を形成する記録媒体と、該静電潜像が現像剤により現像されて画像が形成される画像形成装置を用いて、該Ｎ本の複数光束による主走査露光に一対一に対応する画像データのうち、ｍ＋１回目の主走査における第１番目の主走査画像データと、ｍ回目の主走査における第Ｎ番目の画像データとを用いて導出した補正係数によって、ｍ＋１回目以降の主走査露光における第１番目の光束の光量とｍ回目以降の主走査露光における第Ｎ番目の光束の光量を調整する光量調整工程を有する相反則不軌を低減させた画像形成方法（ただし前記ｍは１以上の整数を表す）であることを特徴とする。
【００１５】
請求項７に記載の発明は、請求項６に記載の相反則不軌を低減させた画像形成方法において、前記光量調整工程は、前記画像データの濃度レベルを変化することによって調整するか、光源の前記光量調整をレーザ制御信号によりパルス幅の変調によって調整するか、または、レーザ制御信号のバイアス制御によって調整することを特徴とする。
【発明の効果】
【００１６】
このように、本発明の画像形成装置および相反則不軌を低減させた画像形成方法によれば、ｍ回目の主走査におけるＮ番目の画像データから補正係数を導出する導出手段と、Ｎ番目の次のｍ＋１回目の主走査における１番目の画像データを格納する格納手段と、補正係数を用いてｍ＋１回目以降の主走査露光における光量を調整することができる。
【発明を実施するための最良の形態】
【００１７】
本実施形態では、例えば、現像剤であるトナーが感光体に現像される量を画像データに応じて逐次導出し、その導出結果と予め格納した相反則不軌や感光体バラツキの影響を含めた実際のトナー量とから、光ビームのパワーを画素毎に変調して、画像品質をより改善することを目的としている。
【００１８】
本実施形態の画像形成装置および相反則不軌を低減させた画像形成方法は、電子写真方式における画像形成装置であって、複数光源による同時主走査露光方式による画像形成装置に適用可能であり、従来問題となっていた相反則不軌の影響と、記録媒体や現像材の特性バラツキによって生じる濃度ムラを原因とする画像品質問題を改善することが可能となる。
【００１９】
以下、図面を参照して、本実施形態の画像形成装置を詳細に説明する。なお、本実施形態は以下に述べるものに限定されず、その趣旨を逸脱しない範囲において種々変更が可能である。
【００２０】
本実施形態の画像形成装置は、ｍ回目の主走査における最終番目である第Ｎ番目の画像データを用いて補正係数を導出する導出手段と、ｍ回目の主走査における第Ｎ番目の次のｍ＋１回目の主走査における第１番目の主走査画像データを格納する格納手段と、導出手段により導出された補正係数を用いてｍ＋１回目以降の主走査露光の第１番目の光束の光量を調整する調整手段とを有する。
【００２１】
また、本実施形態の画像形成装置は、Ｎ本の複数光束による主走査露光に一対一に対応する画像データの内、ｍ＋１回目の主走査における第１番目の主走査画像データと、ｍ回目の主走査における第Ｎ番目の画像データとを用いて導出した補正係数によってｍ＋１回目以降の主走査露光における第１番目の光束の光量とｍ回目以降の主走査露光における第Ｎ番目の光束の光量とを調整することを特徴とする。
【００２２】
このような本実施形態の画像形成装置および相反則不軌を低減させた画像形成方法として、図１に示す光書き込み部の構成例に示すように、複数の光源、たとえば４つのレーザ光源を持つＬＤＡ（レーザダイオードアレイ（光束数４））１０１を１個使用した画像形成装置を例にして説明する。
【００２３】
図３は、図１に示した光書き込み部を有する画像形成装置の光書き込み部の構成を模式的に示す図である。
この図３に示すように、本実施形態の画像形成装置に係る光書き込み部は、画像データ入力部（図示せず）により、紙面上に存在する画像を読み取って各色毎に分けた画像情報である画像データＬＤＤ０〜ＬＤＤ３に基づいて、ＬＤＡ１０１内のレーザ光源ＬＤ０〜ＬＤ３からの光束が、帯電装置により一様に帯電された感光体に光照射されて潜像が形成される。図３に示すように、たとえば、その画像データＬＤＤ０〜ＬＤＤ３の内、ＬＤＤ３を１主走査分、記憶媒体（ＲＡＭ）１に格納する。そして図４（ａ）に示すように、ｍ番目に主走査されるＬＤＤ３の次ラインに当たるｍ＋１番目走査のＬＤＤ０データを用いて、図４（ｂ）に示すように、ＬＤ３走査ラインｐとＬＤ０走査ラインｑとの間の露光ラインｒ（以後、重合（重ね合わせ）ラインｒと言う）の現像されるトナー量（以後、重合（重ね合わせ）ライントナー量と言う）を予測する。
【００２４】
この重合ラインｒに現像される重合ライントナー量は、例えば図４に示すようにして、求めることができる。
図４（ａ）に示すように、ｍ回目主走査の走査ラインｐの次がｍ＋１回目主走査のｑラインである。図４（ｂ）に示すように、重合ラインｒの注目画素「Ｄ」で現像される重合ライントナー量Ｄestは、ＬＤ３の主走査によって露光される画像データｊ１〜ｊ３およびＬＤ０の主走査によって露光される画像データｋ１〜ｋ３と、係数１〜係数６とを掛け合わせ、得られた値から感光体の露光感度閾値である閾値１を差し引いた下記式（１）によって表現することができる。
【００２５】
Ｄest＝（係数１×ｊ１＋係数２×ｊ２＋係数３×ｊ３）＋（係数４×ｋ１＋係数５×ｋ２＋係数６×ｋ３）−閾値１      ・・・式（１）
【００２６】
上記式（１）の例では感光体やトナー、ＬＤＡの特性バラツキは、各係数と閾値１に反映させることにより吸収すること、換言すれば、ＬＤＡの特性バラツキは各係数と閾値１に含めて表現することが可能である。ここに示した重合ラインのトナー量導出方法は一例であり、本実施形態はこの式に限定されない。
【００２７】
次に、図３および表１〜表５に示すように、予め相反則不軌の影響がある場合の重合ライントナー量を実測値から導出し、ＮＶＲＡＭ（Non Volatile RAM）などの記憶媒体にＤrealとして、重合ライントナー実測部を格納しておく。
【００２８】
図３に示すように、補正係数導出部は、複数チャネルたとえば４ｃｈ（チャネル（光束数はアレイを構成するレーザ光源の数と同数）の画像データの１つである３ｃｈ画像データＬＤＤ３からのデータを保存しておくＲＡＭ１と、０ｃｈ画像データＬＤＤ０からの画像データと前記ＲＡＭ１からのデータ値とから、重合ラインのトナー量を算出する重合ライントナー量計算部２とを備えている。さらに、この重合ライントナー量計算部２では、ＲＡＭ１に格納されているＤrealと重合ライントナー量計算値Ｄestとを逐次比較している。ここで、表１に実測した重合ライントナー量Ｄrealを示し、表２に予測重合ライントナー量Ｄestを示す。
【００２９】
【表１】
2007237400.tif 000003
【００３０】
【表２】
2007237400.tif 000004
【００３１】
これら、ＤrealとＤestとの比較結果を補正係数導出部３に送出して、補正係数導出部３がＬＤ０の光量補正係数を導出する。この比較結果を表３に示す。
【００３２】
【表３】
2007237400.tif 000005
【００３３】
また、補正係数導出部３によって導出された補正係数の例を表４および表５に示す。
【００３４】
【表４】
2007237400.tif 000006
【００３５】
【表５】
2007237400.tif 000007
【００３６】
本実施形態では、このような補正係数をＬＵＴ（ルック・アップ・テーブル）によって導出する構成としたり、画素毎に補正係数を導出する構成とするなどの適用が可能である。
【００３７】
導出された補正係数は、ＬＤ０の光量調整手段により用いられ算出する。これによって、感光体の特性バラツキによる誤差の影響を含めてＬＤ０の光量調整を行うことが可能となり、さらに画像品質を向上することができる。
【００３８】
たとえば本実施形態は、図３に例示するように、３ｃｈ画像データＬＤＤ３からのデータを保存しておくＲＡＭ１と、０ｃｈ画像データＬＤＤ０からの画像データと前記ＲＡＭからのデータ値とから重合ラインのトナー量を算出する重合ライントナー量計算部２と、この重合ライントナー量計算部２ではＲＡＭ１に格納されているＤrealと重合ライントナー量計算値Ｄestを逐次比較し、その結果を補正係数導出部３に送出してＬＤ０の光量補正係数を補正係数導出部３が導出する。
【００３９】
また本実施形態は、図５に示すように、図３に示す構成に加えて、０ｃｈ画像データＬＤＤ０からの画像データと補正係数導出部３が導出したＬＤ０の光量調整用補正係数とを用いて、画像データＬＤＤ０の濃度レベル（濃度値）を増減する濃度変調回路５をさらに加えた構成としている。この濃度変調回路５で画像データＬＤＤ０の濃度レベル（濃度値）を増減し、ＬＤＡを駆動するＬＤドライバ回路に変調後の画像データ（画像データを数値化した信号）を入力している。この構成にすることにより、画像品質のより一層の向上が可能となる。
【００４０】
また本実施形態は、図６に示すように、入力した０ｃｈ画像データＬＤＤ０信号の重合ライントナー計算部からの出力が補正係数導出部に実測重合ライントナー量と共に入力され出力された０ｃｈ光量補正係数である、すなわち、導出したＬＤ０の光量調整用補正係数を用いて、パルス幅変調回路７でパルス幅変調した信号を送出する。この送出した信号をＬＤドライバに出力することによってＬＤドライバ回路のＬＤＡ駆動信号を制御する。その他の各部の動作は、図５に示すものと同様であるためその説明を省略する。
【００４１】
また本実施形態は、図７に示すように、図６に示すパルス幅変調回路７に代えてバイアス制御回路８によってＬＤＡ駆動信号レベルを調整するＬＤドライバ回路のバイアスレベルを制御する。その他は図５に示す回路の動作例と同様であり、前記同様にその説明を省略する。このように、図５から図７の構成例に示す本実施形態においても画像品質の向上が可能となる。
【００４２】
次に、本実施形態の画像形成装置および相反則不軌を低減させた画像形成方法において、各ｃｈ画像データＬＤＤ０〜ＬＤＤ３の各データを個別に保存しておく保存手段であるＲＡＭ等が複数設けられた場合の構成例を、図８〜図１１を用いて説明する。なお、本実施形態では、図１に示すような光書き込み装置の構成で、４つのレーザ光源（光束数４）を持つＬＤＡ（レーザダイオードアレイ）を１個使用した画像形成装置を例に挙げて説明する。
【００４３】
図８に示すように、ＬＤＡ内のレーザ光源ＬＤ０〜ＬＤ３に対応した画像データＬＤＤ０〜ＬＤＤ３を１主走査分記憶媒体に格納し、図４のように、ｍ番目に主走査されるＬＤＤ３の次ラインに当るｍ＋１番目走査のＬＤＤ０データとを用いて、ＬＤ３走査ラインｐとＬＤ０走査ラインｑとの間の重合ラインｒに現像される重合ライントナー量を予測する。なお、重合ラインｒに現像される重合ライントナー量計算は、前述の実施形態中に示した通りである。
【００４４】
次に、図８および表１〜表５に示したように、各チャンネル毎の画像データ０〜３ｃｈ画像データＬＤＤ０〜ＬＤＤ３からのデータを保存しておくＲＡＭ１’、１’・・・と、０ｃｈ画像データＬＤＤ０からの画像データと前記画像データ３ｃｈ画像データＬＤＤ３からのデータを保存するＲＡＭ１’からのデータ値とから重合ラインのトナー量を算出する重合ライントナー量計算部２と、この重合ライントナー量計算部２ではＲＡＭ１’に格納されているＤrealと重合ライントナー量計算値Ｄestを逐次比較し、その結果を補正係数導出部３に送出して補正係数導出部３がＬＤ０およびＬＤ３の光量補正係数を導出する。
【００４５】
なお本構成においても、予め相反則不軌の影響がある場合の重合ライントナー量を実測値から導出し、ＮＶＲＡＭなどの記憶媒体にＤrealとして格納しておく。Ｄrealと重合ライントナー量計算値Ｄestを逐次比較し、その結果によってＬＤ０およびＬＤ３の光量補正係数を導出し、ＬＤ０の光量補正係数を１主走査分記憶媒体に格納することで、補正係数適用タイミングを合わせ込んでいる。表４および表５に示した補正係数はＬＵＴ（ルック・アップ・テーブル）による構成、画素毎に補正係数を導出するなどの構成も適用可能である。
【００４６】
導出されたＬＤ３光量補正係数をＬＤ３の光量調整手段に適用し、１主走査期間遅延させたＬＤ０光量補正係数をＬＤ０の光量調整手段に用い、またＬＤ３光量補正係数をＬＤ３の光量調整手段に用いることで、感光体の特性バラツキによる誤差の影響を含めたＬＤ０およびＬＤ３の光量調整を行うことが可能となり、トナー現像による画像品質を向上することができる。
【００４７】
また図９に示すように、導出したＬＤ３の光量調整用補正係数と１主走査期間遅延させたＬＤ０の光量調整用補正係数を用いて、濃度変調回路で画像データＬＤＤ０およびＬＤＤ３の濃度レベルの増減を行い、ＬＤＡを駆動するＬＤドライバ回路に変調後の画像データを入力することにより、画像品質の向上が可能となる。導出された０ｃｈ光量補正係数（一旦ＲＡＭに保存）および３ｃｈ光量補正係数が濃度変調部に入力され、それぞれの濃度変調部は、これらの補正係数を用いてＬＤドライバをコントロールしている。このようにｍ＋１回目以降の主走査露光における第１番目の光束の光量と、ｍ回目以降の主走査露光における第Ｎ番目の光束の光量を調整するようにＲＡＭ１‘を設けている。
【００４８】
また本実施形態は、図１０に示すように、導出した光量調整用補正係数（入力した０ｃｈ画像データＬＤＤ０信号およびＲＡＭ１’に保存された３ｃｈ画像データＬＤＤ３が重合ライントナー計算部からの出力が補正係数導出部に実測重合ライントナー量と共にそれぞれ入力され、出力されたそれぞれＲＡＭに保存された０ｃｈ光量補正係数、および３ｃｈ光量補正係数）と、一旦、それぞれＲＡＭ１’に保存した０ｃｈ画像データＬＤＤ０〜ＬＤＤ３とを用いて、パルス幅変調回路でパルス幅変調した信号をＬＤドライバに出力することによってＬＤドライバ回路のＬＤＡ駆動信号を制御する。その他の各部の動作は、図９に示した場合と同様であるためその説明を省略する。
【００４９】
さらに本実施形態は、図１１に示すように、図１０に示すパルス幅変調回路をバイアス変調回路に代えた以外は図１０と同様にしてＬＤドライバ回路のＬＤＡ駆動信号を制御する。その動作は、図１０に示す場合と同様であるため説明を省略する。
【００５０】
以上、本実施形態の画像形成装置および相反則不軌を低減させた画像形成方法は、相反則不軌を防止するため、その光書込み部が各チャンネル毎の画像データを用いて重合ラインにあたる光ビームのパワーを、ｍ回目の主走査における最終番目である第Ｎ番目の画像データを用いて補正係数を導出する導出手段と、ｍ回目の主走査における第Ｎ番目の次のｍ＋１回目の主走査における第１番目の主走査画像データを格納する格納手段（ＲＡＭ１、１’など）と、この導出手段により導出された補正係数を用いてｍ＋１回目以降の主走査露光の第１番目の光束の光量を調整する調整手段とを有している。
【００５１】
また、上記したＬＤＡは、チャンネル数（ｃｈ）Ｎを４として説明したが、１走査で形成できる画素数を増加させるために、チャンネル数をさらに増加させることもできる。なお、チャンネル数Ｎが増加すれば画像データＬＤＤ０〜ＬＤＤ３（Ｎ＝４の場合）の数がＬＤＤ０〜ＬＤＤ（Ｎ−１）となる構成になる。
【産業上の利用可能性】
【００５２】
本発明の画像形成装置に使用された光書き込み部は、ある画像データを基調として照明するような光照射装置としても使用可能であり、またこのような光書込み部を有する画像形成装置は光束数、独立したアレイの数によって、様々な記録媒体上に高画質の画像を形成することも可能となる。
【図面の簡単な説明】
【００５３】
【図１】画像形成装置における光書き込み部の構造例を示す図である。
【図２】走査周期の異なる露光タイミングが発生して、相反則不軌による濃度ムラが生じた例を示す図である。
【図３】本実施形態の画像形成装置の画像データを１主走査分、記憶媒体に格納する構成を例示した図である。
【図４】ｍ番目に主走査されるＬＤ３の次ラインのｍ＋１番目走査のＬＤ０データを用いて、ＬＤ３走査ラインｐとＬＤ０走査ラインｑ間の露光ラインのｒで現像されるトナー量予測を説明するための図である。
【図５】本実施形態の画像形成装置の構成例を示す図であり、複数のレーザ光源を使用した画像形成装置の光書き込み部を例示した図である。
【図６】本実施形態の画像形成装置の構成例を示す図であり、導出した光量調整用補正係数を用いてパルス幅変調した信号によって、ＬＤドライバ回路の駆動信号を制御することを示す図である。
【図７】本実施形態の画像形成装置の構成例を示す図であり、バイアス制御回路によってＬＤドライバ回路のバイアスレベルを制御することを示した図である。
【図８】本実施形態の画像形成装置の構成例を示す図であり、画像データを１主走査分記憶媒体に格納し、ｍ番目に主走査されるｍ＋１番目走査のデータを用いて、重合ラインｒに現像される重合ライントナー量を予測した図である。
【図９】本実施形態の画像形成装置の構成例を示す図であり、導出した光量調整用補正係数と光量調整用補正係数を用いて、画像データＬＤ０及びＬＤ３の濃度レベルを増減し、ＬＤドライバ回路に変調後画像データを入力することを説明した図である。
【図１０】本実施形態の画像形成装置の構成例を示す図であり、導出した光量調整用補正係数と１主走査期間遅延させた光量調整用補正係数を用いて、パルス幅変調して、ＬＤＡを制御することを示した図である。
【図１１】本実施形態の画像形成装置の構成例を示す図であり、バイアス制御回路によってＬＤＡ駆動信号レベルを調整するＬＤドライバ回路のバイアスレベルを制御することを示した図である。
【符号の説明】
【００５４】
１，１’，９    記録媒体（ＲＡＭ）
２    重合ライントナー量計算部
３    補正係数導出部
４    重合ライントナー量実測部
５    濃度変調回路
６    ＬＤ（レーザダイオード）ドライバ
１００    ポリゴンミラー
１０１    レーザダイオードアレイ（ＬＤＡ）
１０２    同期検知センサ
１０３    感光体
【図１】
2007237400.tif 000008
【図２】
2007237400.tif 000009
【図３】
2007237400.tif 000010
【図４】
2007237400.tif 000011
【図５】
2007237400.tif 000012
【図６】
2007237400.tif 000013
【図７】
2007237400.tif 000014
【図８】
2007237400.tif 000015
【図９】
2007237400.tif 000016
【図１０】
2007237400.tif 000017
【図１１】
2007237400.tif 000018